(57)【要約】【課題】測定値を記憶するハードディスクユニットを組み込んだ血圧測定装置では、ハードディスクの振動によって血圧をコロトコフ音で測定する測定器で誤った測定値を出力することがあった。【解決手段】回転体を保持し振動する振動体と、該振動体を固定する第１の部材と、基体と、該基体と固定する第２の部材と、第１の部材と第２の部材はそれぞれ非接触でかつ、第１の部材と第２の部材との間でそれぞれと係合する管状の弾性体とを備え、ハードディスクを血圧測定装置とをビニール等の管状の弾性体を介して接続するのでハードディスクの振動が伝わらないで誤測定することがない。【選択図】図５
2014075160.tif 000002
【特許請求の範囲】
【請求項１】
回転体を保持し振動する振動体と、該振動体を固定する第１の部材と、基体と、該基体を固定する第２の部材と、第１の部材と第２の部材はそれぞれ非接触でかつ、第１の部材と第２の部材との間でそれぞれと係合する管状の弾性体とを備えたハードディスク振動吸収装置。
【請求項２】
前記回転体はハードディスクである請求項１に記載のハードディスク振動吸収装置。
【請求項３】
被験者の被測定部を挿入可能なカフと、音響センサと、前記被測定部を圧迫することによって発生するコロトコフ音を前記音響センサによって検出して所定の信号に変換する信号処理部と、該信号処理部によって処理されて得た血圧値を記憶するハードディスクを保持するハードディスクユニットとを備えた血圧測定装置に用いられる前記ハードディスクの振動を吸収するハードディスク振動吸収装置で、前記ハードディスクユニット保持部材と固定する第１の部材と、前記血圧測定装置と固定する第２の部材と、第１の部材と第２の部材との間でそれぞれと係合する管状の弾性体とを備えたハードディスク振動吸収装置。
【請求項４】
前記血圧測定装置で、血圧値を印字するプリンタを備え、前記カフと前記ハードディスクユニットとの間に前記プリンタを配する請求項３に記載のハードディスク振動吸収装置。
【発明の詳細な説明】
【技術分野】
【０００１】
本発明は、ハードディスクの振動が外部に伝わらないようにするハードディスク振動吸収装置に関する。
【背景技術】
【０００２】
記録媒体を回転させて情報を記録するハードディスク装置はパソコンの記憶媒体としてよく使われている。また、パソコンばかりでなく医療分野にも被験者の血圧とか心電とかの記録に使われている。ここでハードディスクの振動が記録時に悪影響を与えることがある。例えば、被験者の腕を巻いているカフに空気を供給することにより被験者の腕を圧迫して被験者の血流を止め、その空気を抜くことにより発生するコロトコフ音が発生した時点の圧力で最高血圧を、また空気をさらに抜くことによりコロトコフ音が消滅した時点の圧力を最低血圧とする血圧測定装置で、その測定された血圧を記録するためにハードディスクを用いていた。しかし、コロトコフ音を検出することによって血圧を測定する血圧計にハードディスクの振動が音となってコロトコフ音の検出を困難にした。そこで振動が少ないハードディスクを選択しなくてはならないのでそれだけコスト高になっていた。
【０００３】
特許文献１は、図７に示すように、ハードディスクユニット５１が着脱可能に取り付けられる一対の取付部材５２に設けられた各取付突起５３を、４つの低反発弾性部材５４の各側面に設けられた刺込み穴５５にそれぞれ刺し込むことにより、各低反発弾性部材５４を一対の取付部材５２にそれぞれ取付け、この状態で各低反発弾性部材５４を載置台５６の各挟持部５７で挟み付けて固定した。このハードディスクユニット５１は、その左右方向の両側面における前後部が一対の取付部材５２にそれぞれ締結ねじ５８によって着脱可能に取り付けられている。載置台５６は、ハードディスクユニット５１が取り付けられる一対の取付部材５２を搭載するためのものであり、不図示の固定台上にスライド可能に載置されるように構成されている。この場合、載置台５６は、金属板の左右両側および前後両側がそれぞれ上方に折り曲げられて左右両側の側面部５６ａと前後両側の前面部５６ｂ、５６ｃとが形成され、これにより、載置台５６全体が不図示の固定台の上面とほぼ同じ大きさの薄い箱形状に形成されている。低反発弾性部材５４によってハードディスクユニット５１を載置台５６に対し浮かした状態で弾力的に保持できると共に、上下左右前後の３次元方向の振動を低反発弾性部材５４で吸収できる。
【０００４】
特許文献２は、図８、図９で示すように、ハードディスクユニット５１と、それを取り付けた取付部材５２の間に超粘着性能と柔軟性をプラスし板状化したゲル材６０を挟み込み、固着させ、ハードディスクユニット５１内の回転振動が発生してもゲル材６０にて振動を吸収し、ノイズも防止するものである。
【先行技術文献】
【特許文献】
【０００５】
【特許文献１】実用新案登録３１３０７７４号公報
【特許文献２】実用新案登録３１３６３０５号公報
【発明の概要】
【発明が解決しようとする課題】
【０００６】
特許文献１は下記の欠点を有する。特許文献１の実施例では、ハードディスクの振動を面で受けているので振動によってノイズを拾う可能性がある。また構造が二段構造となっており、機器小型化の際に、機器内に収まらなくなる可能性がある。さらに部材が多く、組立の工数が多くコストが高くなる可能性がある。
【０００７】
特許文献２は、振動吸収部材を粘着剤だけでの固定であるため、衝撃に対して弱いものとなる。経年劣化によって粘着剤の粘着力が落ちるのは、避けられない。
【０００８】
本発明は、このような従来の構成が有していた問題を解決しようとするものであり、ハードディスクの振動が測定部に伝達するのを防止することを目的とするものである。
【課題を解決するための手段】
【０００９】
本発明の請求項１は、回転体を保持し振動する振動体と、該振動体と固定する第１の部材と、基体と、該基体と固定する第２の部材と、第１の部材と第２の部材はそれぞれ非接触でかつ、第１の部材と第２の部材との間でそれぞれと係合する管状の弾性体とを備えたハードディスク振動吸収装置。
【００１０】
請求項２は、前記回転体はハードディスクである請求項１に記載のハードディスク振動吸収装置を提供するものである。
【００１１】
請求項３は、被験者の被測定部を挿入可能なカフと、音響センサと、前記被測定部を圧迫することによって発生するコロトコフ音を前記音響センサによって検出して所定の信号に変換する信号処理部と、該信号処理部によって処理されて得た血圧値を記憶するハードディスクを保持するハードディスクユニットとを備えた血圧測定装置に用いられる前記ハードディスクの振動を吸収するハードディスク振動吸収装置で、前記ハードディスクユニット保持部材と固定する第１の部材と、前記血圧測定装置と固定する第２の部材と、第１の部材と第２の部材との間でそれぞれと係合する管状の弾性体とを備えたハードディスク振動吸収装置を提供するものであり、請求項４は、前記血圧測定装置で、血圧値を印字するプリンタを備え、前記カフと前記ハードディスクユニットとの間に前記プリンタを配した請求項３に記載のハードディスク振動吸収装置を提供するものである。
【発明の効果】
【００１２】
上述したように、本発明のハードディスク振動吸収装置は、ハードディスクの振動がコロトコフ音を検出して血圧を測定するような装置で、振動が発生したため、振動が測定装置に伝達してエラーを生じさせる危険性があってこのような振動体の振動が測定部に伝わらないように防止する。また血圧値を記録するプリンタをカフとハードディスクユニットの間に配し、コロトコフ音を検知する音響センサをハードディスクユニットからできるだけ離れた位置に置いてハードディスクの振動によって生じる音を音響センサで検出しないようにする。
【図面の簡単な説明】
【００１３】
【図１】本発明のハードディスク振動吸収装置が組み込まれている血圧測定装置の斜視図。
【図２】本発明のハードディスク振動吸収装置が取り付けられたハードディスクユニットが組み込まれた血圧測定装置の上ケースと下ケースの間に配された主シャーシー
【図３】本発明のハードディスク振動吸収装置が組み込まれている血圧測定装置に用いられるコロトコフ音検出装置の第１の例を示す。
【図４】本発明のハードディスク振動吸収装置が組み込まれている血圧測定装置に用いられるコロトコフ音検出装置の第２の例を示す。
【図５】本発明のハードディスク振動吸収装置
【図６】本発明のハードディスク振動吸収装置の揺動接続部
【図７】従来例１
【図８】従来例２―１
【図９】従来例２−２
【発明を実施するための形態】
【００１４】
図１は本発明のハードディスク振動吸収装置が組み込まれている血圧測定装置の斜視図を示す。
【００１５】
１は血圧計測定装置を示し、２は血圧計測定装置１を駆動する部品を収容する基板を載置する下ケース、３は下ケース２を覆う上ケースを示す。４は、被験者が血圧を測定するために被験者の腕に巻いて加圧するカフを示し、５は被験者の腕の一部である肘を載せる肘載置台を示す。
【００１６】
６は、後述する液晶表示板の液晶表示部に対向した液晶表示部窓を示し、液晶表示部窓６には、不図示であるが測定値のほか、測定開始するタッチスイッチが設けられている。７は、日時、測定結果を印字する後述のプリンタが配されたプリンタ蓋を示し、８は、血圧計測定装置の電源を投入する電源スイッチを示す。
【００１７】
図２は、本発明のハードディスク振動吸収装置が取り付けられたハードディスクユニットが組み込まれた血圧測定装置の上ケースと下ケースの間に配された主シャーシーを示す。
【００１８】
主シャーシー９には、プリンタ７Ａ、カフ４、カフ４に接続する、１０で示すベルト、ベルト１０を引っ張る１１で示すギアドモータ、１２で示す送気ポンプが配されている。１３は後述するハードディスクが設置されているハードディスクユニットが設けられ、前記ハードディスクには測定された日時、測定された最高血圧、最低血圧、平均血圧等が記録される。１４は前記ハードディスクに記録されるデータが表示される液晶表示板を示す。ここでカフ４とハードディスクユニット１３の間に、プリンタ７Ａを配し、ハードディスクとカフを出来るだけ、離れた距離に置いて、コロトコフ音を検出する後述の音響センサをハードディスクから離し、前記音響センサがハードディスクの振動音を出来るだけ、捉えないようにしている。
【００１９】
図３は、本発明のハードディスク振動吸収装置が組み込まれている血圧測定装置に用いられるコロトコフ音検出装置の第１の例を示す。
【００２０】
カフ４は４Ａで示す血管圧迫のための血管圧迫用カフと４Ｂで示すコロトコフ音を検出するためのコロトコフ音検出用カフからなり、４Ｃで示す導管に接続された４Ｄで示す音響センサから得られた音信号は４Ｅで示すフィルタを経たのち４Ｆで示す信号増幅器で増幅されてコロトコフ信号が得られる。ここで前述したようにハードディスクの振動を出来るだけ捉えないようするためハードディスクユニット１３から離れた位置、すなわちカフ４の近くに置くとよい。
【００２１】
図４は、本発明のハードディスク振動吸収装置が組み込まれている血圧測定装置に用いられるコロトコフ音検出装置の第２の例を示す。
【００２２】
図３がカフ４を血管圧迫用カフ４Ａとコロトコフ検出用カフ４Ｂに分けてコロトコフ音をコロトコフ音を検出したが、図４は、カフ４に直接、音響センサ４Ｄを配し、音響センサ４Ｄで捉えた信号を、不図示であるが、図３と同様にフィルタを介して必要な信号を抽出し、抽出された信号を信号増幅器で増幅してコロトコフ信号が得られる。
【００２３】
図５は、本発明のハードディスク振動吸収装置における振動吸収機構の斜視図を示す。
【００２４】
ハードディスクユニット１３を保持する１５で示すハードディスクユニットケースの一部から張り出した１５Ａで示す張出部と、主シャーシー９に結合する１６で示す主シャーシー結合部から延び、主シャーシー結合部１６と一体の、１６Ａで示す主シャーシー張出部とが、１７で示すビニールチューブを介して接続している。なお、主シャーシー結合部１６から延びた１６Ｂ、１６Ｃで示す結合片と主シャーシー９は結合している。
【００２５】
図６は、本発明のハードディスク振動吸収装置における振動吸収機構の断面図を示す。
【００２６】
ハードディスクユニット１３を保持するハードディスクユニットケース１５の一部から張り出した張出部１５Ａを、１５Ｂで示す内側にメネジのある結合環と１５Ｃで示すネジで挟んで固定する。
【００２７】
主シャーシー９に結合する主シャーシー結合部１６と一体の、１６Ａで示す主シャーシー張出部を、１６Ｄで示す内側にメネジのある結合環と、１６Ｅで示す波ワッシャーを介して１６Ｆで示すネジで挟んで固定する。さらに、結合環１６Ｄとビニールチューブ１７を、１８で示すネジリングを介して１８Ａで示すネジで固定する。
【００２８】
結合環１５Ｂと結合環１６Ｄをビニールチューブ１７を介して接続する。従ってハードディスクユニット１３が不図示のディスクの回転によって振動しても、その振動はビニールチューブ１７を介して主シャーシー９に伝わる。したがってハードディスクユニット１３の振動はビニールチューブ１７の肉厚部分の分しか主シャーシー９に伝わらない。したがって被験者の血圧を測定する際にハードディスクユニット１３の振動は主シャーシー９に搭載されたコロトコフ音を検出する音響センサ４Ｄに悪影響を与えることはない。これまで、この悪影響を防ぐために、ハードディスクユニット１３、音響センサ４Ｄの良好なものの選別をおこなっていたが、その許容度は増加し、コストダウンとなる。
【符号の説明】
【００２９】
１                    血圧測定装置
２                    下ケース
３                    上ケース
４                    カフ
４Ａ                  血管圧迫用カフ
４Ｂ                  コロトコフ検出用カフ
４Ｃ                  導管
４Ｄ                  音響センサ                
４Ｅ                  フィルタ
４Ｆ                  信号増幅器
５                    肘載置台
６                    液晶表示部窓
７                    プリンタ蓋
７Ａ                  プリンタ
８                    電源スイッチ
９                    主シャーシー
１０                  ベルト
１１                  ギアドモータ
１２                  送気ポンプ
１３                  ハードディスクユニット
１４                  液晶表示板
１５                  ハードディスクユニットケース
１６                  主シャーシー結合部
１７                  ビニールチューブ
１８                  ネジリング
【図１】
2014075160.tif 000003
【図２】
2014075160.tif 000004
【図３】
2014075160.tif 000005
【図４】
2014075160.tif 000006
【図５】
2014075160.tif 000007
【図６】
2014075160.tif 000008
【図７】
2014075160.tif 000009
【図８】
2014075160.tif 000010
【図９】
2014075160.tif 000011